(57)【要約】【課題】前後方向の寸法を小さくできるにも拘わらず、ドラム式と同じよう識別情報を変動表示できる遊技機を提供する。【解決手段】表示窓５１に識別情報を変動表示する回転表示装置５０を備え、この回転表示装置５０は、識別情報が付され且つ自由状態のときに略円形となる保形性を有する無端状の弾性回転帯５７と、弾性回転帯５７の表示窓５１に対応する表示窓対応部分５７ａが略自由状態で表示窓５１側に突出する円弧状となり且つ表示窓５１と反対側が自由状態のときよりも内側となるように弾性回転帯５７を周方向に案内する案内手段５８〜６２と、案内手段５８〜６２に沿って弾性回転帯５７を周方向に回転駆動する駆動手段６３とを備える。【選択図】    図３
2005065712.tif 000002
【特許請求の範囲】
【請求項１】
表示窓に識別情報を変動表示する回転表示装置を備えた遊技機において、前記回転表示装置は、前記識別情報が付され且つ自由状態のときに略円形となる保形性を有する無端状の弾性回転帯と、該弾性回転帯の前記表示窓に対応する表示窓対応部分が略自由状態で前記表示窓側に突出する円弧状となり且つ前記表示窓と反対側が自由状態のときよりも内側となるように前記弾性回転帯を周方向に案内する案内手段と、該案内手段に沿って前記弾性回転帯を周方向に回転駆動する駆動手段とを備えたことを特徴とする遊技機。
【請求項２】
前記表示窓に対して前記弾性回転帯の周方向の両側に、該弾性回転帯の前記表示窓対応部分を略自由状態に保持し案内する保持案内手段を設けたことを特徴とする請求項１に記載の遊技機。
【請求項３】
前記弾性回転帯の後部側が前側に凹状となるように、該弾性回転帯の後部側の回転方向の両側及びその中間に対応して前記案内手段を配置すると共に、該案内手段の少なくとも１つに前記駆動手段を設けたこと特徴とする請求項１又は２に記載の遊技機。
【請求項４】
前記案内手段の少なくとも一部に、案内兼用の駆動ローラを備え、前記弾性回転帯の幅方向の端縁側に周方向に所定間隔をおいて被噛合部を形成し、前記駆動ローラに、前記被噛合部と噛み合う噛合歯を設けたことを特徴とする請求項１〜３の何れかに記載の遊技機。
【請求項５】
前記弾性回転帯の後部側の回転方向の両側に前記案内手段を設けると共に、一方の前記案内手段に、前記弾性回転帯の後部側が他方の前記案内手段側から一方の前記案内手段側へと回転するように前記弾性回転帯を駆動する前記駆動手段を設け、前記弾性回転帯の前部側を弛み側とし、後部側を張り側としたことを特徴とする請求項１〜４の何れかに記載の遊技機。
【請求項６】
前記弾性回転帯の前記表示窓対応部分を内外方向の一方又は両方から案内する振れ止め用の補助案内手段を設けたことを特徴とする請求項１又は２に記載の遊技機。
【請求項７】
前記弾性回転帯の内側に他の表示手段を配置すると共に、前記弾性回転帯の少なくとも一部に、前記他の表示手段を透視可能な透視領域を形成したことを特徴とする請求項１〜６の何れかに記載の遊技機。
【発明の詳細な説明】
【０００１】
【発明の属する技術分野】
本発明は、識別情報を変動表示する回転表示装置を備えた遊技機に関するものである。
【０００２】
【従来の技術】
パチンコ機、スロットマシン等の回転表示装置には、従来、ドラム式（例えば特許文献１）、ベルト式（例えば特許文献２）がある。ドラム式の回転表示装置は、外周に識別情報が付された円形状の回転ドラムをその軸心廻りに回転させるようになっている。またベルト式の回転表示装置は、外周に識別情報が付され且つ駆動プーリ及び従動プーリに巻き掛けられた無端状の回転ベルトをその周方向に回転させるようになっている。
【０００３】
【特許文献１】
特開２００１−３１４５８６号公報
【特許文献２】
特開平９−１０３５５０号公報
【０００４】
【発明が解決しようとする課題】
ドラム式の回転表示装置は、前部側の表示部分が前側に突出する円弧状となることから、識別情報を見易い状態で変動表示できる反面、回転ドラムの径に比例して遊技機全体の前後方向の寸法が大きくなり、遊技機全体が前後方向に大型化する欠点がある。
【０００５】
一方、ベルト式の回転表示装置は、前後方向の寸法が小さくできるものの、前部側の表示部分が平面的になってしまい、識別情報の変動表示が平面的になる欠点がある。
【０００６】
本発明は、このような従来の問題点に鑑み、前後方向の寸法を小さくできるにも拘わらず、ドラム式と同じよう識別情報を変動表示できる遊技機を提供することを目的とする。
【０００７】
【課題を解決するための手段】
本発明は、表示窓に識別情報を変動表示する回転表示装置を備えた遊技機において、前記回転表示装置は、前記識別情報が付され且つ自由状態のときに略円形となる保形性を有する無端状の弾性回転帯と、該弾性回転帯の前記表示窓に対応する表示窓対応部分が略自由状態で前記表示窓側に突出する円弧状となり且つ前記表示窓と反対側が自由状態のときよりも内側となるように前記弾性回転帯を周方向に案内する案内手段と、該案内手段に沿って前記弾性回転帯を周方向に回転駆動する駆動手段とを備えたものである。
【０００８】
【発明の実施の形態】
以下、本発明の実施形態を図面に基づいて説明する。図１〜図６は本発明をパチンコ機として具現化した第１の実施形態を例示する。図１及び図２において、１は遊技機本体で、外枠２と、この外枠２に開閉自在に枢着された前枠３とを有する。４はガラス扉、５は前面板で、これらは前枠３の窓孔６に対応して上下に配置され、前枠３に開閉自在に枢支されている。
【０００９】
７は発射用の遊技球を貯留する上皿で、前面板５の前側に装着され、上皿カバー８により覆われている。９は余剰球等を貯留する下皿、１０は灰皿で、これらは前面板５の下側で前枠３の前側に左右に配置され、下皿カバー１１により覆われている。１２は遊技盤で、前枠３の窓孔６に対応するように、前枠３の裏側の遊技盤装着枠１３に裏側から着脱自在に装着されている。
【００１０】
１５は発射手段で、下皿９の一側で前枠３の前側に設けられた発射ハンドル１６、前面板５の後方に配置された発射レール１７、前枠３の裏側に配置された発射モータ１８及び打撃槌１９等を備え、発射ハンドル１６を操作したときに、発射モータ１８により打撃槌１９が作動して、前面板５の裏側に装着された図外の球送り手段により上皿７から発射レール１７上に１個ずつ供給される遊技球を遊技盤１２の上部側に発射させるようになっている。
【００１１】
発射ハンドル１６、発射モータ１８、打撃槌１９等は、取り付け板２０を介して前枠３の裏面側に着脱可能に装着されている。また例えば発射モータ１８の裏側には、発射手段１５を制御する発射制御基板２１が、基板ケース２２に収納された状態で着脱自在に装着されている。
【００１２】
遊技盤１２には、発射手段１５により発射された遊技球を案内するガイドレール２３が略環状に装着されると共に、そのガイドレール２３の内側の遊技領域２４に普通図柄表示手段２５、特別図柄表示手段２６、普通図柄始動手段２７、特別図柄始動手段２８、大入賞手段２９、普通入賞手段３０等の各種遊技部品が配置されている。
【００１３】
普通図柄表示手段２５は１個又は複数個、例えば１個の普通図柄を変動表示するためのもので、通過ゲート等よりなる普通図柄始動手段２７が遊技球を検出することを条件に、その普通図柄が乱数制御により所定時間変動して停止するようになっている。
【００１４】
特別図柄始動手段２８は、遊技者に有利な開状態と不利な閉状態とに変換可能な電動チューリップ等の開閉式入賞手段により構成されており、普通図柄表示手段２５の変動後の停止図柄が予め定められた当たり図柄を表示したことを条件に所定時間開放するようになっている。
【００１５】
特別図柄表示手段２６は、後述のように左右方向に複数、例えば３個の回転帯ユニット４９を備えた回転表示装置５０により構成され、その各回転帯ユニット４９の回転動作により、矩形状の表示窓５１に左右方向に３個、上下方向に複数コマ、例えば３コマの特別図柄（識別情報）を変動表示可能である。各特別図柄は各回転帯ユニット４９の回転、停止動作により、特別図柄始動手段２８が遊技球を検出することを条件に所定時間変動して停止するようになっている。
【００１６】
大入賞手段２９は所謂アタッカーを構成するもので、遊技者に有利な開状態と不利な閉状態とに変換可能な開閉式入賞手段により構成され、特別図柄表示手段２６の特別図柄の変動後の停止態様が予め定められた特定の大当たり態様を表示したことを条件に開放するようになっている。
【００１７】
なお、特別図柄には例えば数字、アルファベット等が使用されており、特別図柄表示手段２６の表示窓５１内で横又は斜めの入賞ラインに同種の特別図柄が３個並んだ態様が大当たり態様となっている。
【００１８】
前枠３の裏側には、図２に示すように、遊技盤装着枠１３に装着された遊技盤１２を裏側から押さえて固定する裏機構板３１が、左右一端側のヒンジ３１ａを介して開閉自在に装着されている。裏機構板３１には、遊技盤１２の裏側の裏カバー３２が嵌合する開口部３３が形成され、その上側に遊技球タンク３４及びタンクレール３５が、左右方向の一側に払い出し手段３６が、下側に通路ユニット３７が夫々設けられている。
【００１９】
遊技球タンク３４は、遊技島側の遊技球補給系から補給された遊技球を貯留して、タンクレール３５を経て払い出し手段３６側へと供給するためのものである。払い出し手段３６は、賞球、貸球の払い出し指令があったときに、遊技球タンク３４からタンクレール３５を経て供給される遊技球を払い出すためのもので、裏機構板３１の裏側に着脱自在に装着されている。通路ユニット３７は、払い出し手段３６により払い出された遊技球を上皿７へと案内し、また上皿７の遊技球が満杯状態のときに、余剰球を下皿９へと案内するようになっている。
【００２０】
裏カバー３２は、遊技盤１２に装着された回転表示装置５０等の複数の遊技部品を裏側から覆うためのもので、その裏側には、音声の出力を制御する音声制御基板３９及びランプ等の発光を制御するランプ制御基板４０を収容した音声・ランプ制御基板ケース４１と、遊技盤１２側の遊技動作等を制御する主制御基板４２を収容した主制御基板ケース４３とが着脱自在に装着されている。
【００２１】
また通路ユニット３７の裏側には、電源基板４４及び払い出し制御基板４５を例えば左右に収容した電源・払い出し制御基板ケース４６が、ケース取り付け板４７を介して着脱自在に装着されている。
【００２２】
回転表示装置５０は、図３及び図４に示すように、遊技盤１２に前側から着脱自在に装着されたセンターケース５２と、このセンターケース５２に形成された矩形状の表示窓５１と、センターケース５２と前後に相対応して遊技盤１２の裏側に着脱自在に装着されたケース体５３と、表示窓５１に対応してケース体５３内に着脱自在に装着された左右方向に３個の回転帯ユニット４９とを備えている。
【００２３】
センターケース５２は、上部に庇部５４を、その下側の中央部に胴部５５を夫々有し、その庇部５４に普通図柄表示手段２５が設けられている。胴部５５は内周側の表示窓５１を取り囲む矩形状等であって、遊技盤１２に形成された開口部５６に前側から嵌合されており、この胴部５５には、内部の回転帯ユニット４９側の特別図柄を透視可能で且つ表示窓５１を塞ぐ窓カバー５１ａが着脱自在に装着されている。窓カバー５１ａは透明なアクリル板等からなり、回転帯ユニット４９に対して略同心状等の円弧状に形成されている。なお、窓カバー５１ａには、特別図柄を拡大するレンズを使用しても良い。
【００２４】
各回転帯ユニット４９は、無端環状に構成された弾性回転帯５７と、この弾性回転帯５７を周方向に案内する上・下案内手段５８，５９、中案内手段６０、上・下保持案内手段６１，６２等の案内手段５８〜６２と、弾性回転帯５７を周方向に回転駆動する駆動手段６３と、弾性回転帯５７の前部側である表示窓５１に対応する表示窓対応部分５７ａをその内部側から照明する照明手段６４と、弾性回転帯５７の回転位置を検出する検出手段６５と、これら各手段５８〜６５を支持する支持板６６とを備えている。なお、各回転帯ユニット４９は、支持板６６が一側となるように左右方向に近接して配置されている。
【００２５】
弾性回転帯５７は、適当な弾性を有する透明又は半透明等の合成樹脂製であって、図５にも示すように、自由状態のときに略円形となるように所定の保形性を有する無端環状に形成され、その周方向に所定間隔（例えば等間隔）をおいて多数コマ分の特別図柄（識別情報）が付されている。弾性回転帯５７の幅方向の両端部（又は一方の端部）には、周方向に等間隔を置いて孔等の被噛合部４８が設けられている。なお、弾性回転帯５７には、予め無端の真円状に成形したものを使用しているが、例えば帯部材の長手方向の両端を接着、溶着等により適宜固着したものを使用しても良い。
【００２６】
特別図柄は、弾性回転帯５７に直接印刷しても良いし、特別図柄が印刷されたシールを弾性回転帯５７に貼着して良い。何れの場合にも、特別図柄を付した上から透明なシートをラミネートしておけば、摩擦等により特別図柄が薄くなったり、シールが剥がれたりすることを防止できる。
【００２７】
案内手段５８〜６２は横軸心周りに回転して、弾性回転帯５７の前部側の表示窓対応部分５７ａが略自由状態で表示窓５１側に突出する円弧状となり、且つ表示窓５１と反対側の後部側５７ｂが自由状態のときよりも内側となるように、弾性回転帯５７を周方向に案内するためのものである。この実施形態では、弾性回転帯５７の後部側５７ｂを自由状態のときよりも前側に扁平に屈曲して案内する上下両側及びその中間の上・下案内手段５８，５９及び中案内手段６０と、弾性回転帯５７の前部側がその自由状態のときの保形性により前側へと突出する略円弧状となるように、表示窓５１の上下両側で弾性回転帯５７を保持して案内する上・下保持案内手段６１，６２とが配置されている。
【００２８】
即ち、上・下案内手段５８，５９と中案内手段６０は、上・下案内手段５８，５９に対して中案内手段６０が若干前側に配置され、弾性回転帯５７の後部側５７ｂの中案内手段６０で案内される上下中間部分が、上・下案内手段５８，５９で案内される上下両側よりも前側に凹むようになっている。
【００２９】
上・下案内手段５８，５９は、弾性回転帯５７の後部側５７ｂの上下の湾曲部分を外側から案内する一対の（又は複数）の外案内ローラ５８ａ，５９ａと、この外案内ローラ５８ａ，５９ａ間で弾性回転帯５７の屈曲部分を内側から案内する１個（又は複数）の内案内ローラ５８ｂ，５９ｂとを備えている。外案内ローラ５８ａ，５９ａ、内案内ローラ５８ｂ，５９ｂは、一側の支持板６６に固定された横軸５８ｃ，５９ｃ、５８ｄ，５９ｄにより遊転自在に支持されている。なお、弾性回転帯５７は通常、外案内ローラ５８ａ，５９ａに接触して案内され、内案内ローラ５８ｂ，５９ｂとの間には微小な間隙を置いている。弾性回転帯５７は常時内案内ローラ５８ｂ，５９ｂに接触するようにしても良い。
【００３０】
中案内手段６０は、弾性回転帯５７を外側から案内する案内兼用の大径の駆動ローラ６７と、この駆動ローラ６７の前側に配置され且つ駆動ローラ６７との間で弾性回転帯５７を挟む挟みローラ６８とを備え、駆動ローラ６７と、一側の支持板６６に装着され且つ駆動ローラ６７を横方向の駆動軸６９周りに駆動する駆動モータ７０とにより駆動手段６３が構成されている。
【００３１】
駆動ローラ６７は中空状であって、その内部に駆動モータ７０が嵌合し、その駆動軸６９と連結部７１を介して連結されている。駆動ローラ６７には、弾性回転帯５７の被噛合部４８と噛み合う突起等の噛合歯７２が左右方向の両端部に設けられている。挟みローラ６８は駆動ローラ６７の噛合歯７２間に対応して配置され、一側の支持板６６に固定された横軸６８ａにより遊転自在に支持されている。
【００３２】
上・下保持案内手段６１，６２は、弾性回転帯５７の前部側を略自由状態に保持し案内するためのもので、表示窓５１に対して弾性回転帯５７の周方向（上下方向）の両側に配置されている。そして、上・下保持案内手段６１，６２は、表示窓５１の上下両側で弾性回転帯５７を外前側から案内する保持案内ローラ６１ａ，６２ａを備えている。
【００３３】
各保持案内ローラ６１ａ，６２ａは、一側の支持板６６に固定された横軸６１ｂ，６２ｂにより遊転自在に支持されており、弾性回転帯５７の前部側がその弾性によって後斜め方向から圧接することにより、弾性回転帯５７の前部側、特に上下の保持案内ローラ６１ａ，６２ａ間の表示窓対応部分５７ａを略自由状態に保持するようになっている。
【００３４】
なお、上・下保持案内手段６１，６２は、弾性回転帯５７を内側から案内するものでもよいし、また弾性回転帯５７を内外両側から挟んで案内するものでもよい。更に上・下保持案内手段６１，６２には、保持案内ローラ６１ａ，６２ａの他に、回転自在なピンにより構成したもの、固定部材と回転部材とを組み合わせたもの等を使用してもよい。
【００３５】
照明手段６４は、弾性回転帯５７の前部側の表示窓対応部分５７ａを内側（後側）から照明するもので、例えば弾性回転帯５７の内側で支持板６６に装着された照明ケース７４と、表示窓５１に表示される特別図柄のコマ数に対応して照明ケース７４の後壁部７４ａ内に前向きに取り付けられたＬＥＤ、ランプ等の発光体７５とを備えている。
【００３６】
照明ケース７４は、弾性回転帯５７に沿って上下方向に長い側壁部７４ｂを備え、その側壁部７４ｂの前縁側に、弾性回転帯５７の表示窓対応部分５７ａを内側から案内する振れ止め用の補助案内手段７６が設けられている。この補助案内手段７６は弾性回転帯５７に沿って略同心状等の円弧状に形成され、通常はその前側を回転する弾性回転帯５７との僅かな間隙があり、弾性回転帯５７が内外方向に振れたときに接触するようになっている。なお、補助案内手段７６は、弾性回転帯５７に対して内外両側又は外側に設けても良い。
【００３７】
検出手段６５は弾性回転帯５７の回転位置を検出するもので、弾性回転帯５７側に設けられた孔、マーク等の被検出部７７（図５参照）を非接触で検出するセンサを備えている。被検出部７７には被噛合部４８の孔を利用しても良い。なお、被検出部７７を特別図柄の各コマ毎に対応して弾性回転帯５７に設けておけば、検出手段６５の検出信号をカウントすることにより弾性回転帯５７の回転位置を確実に検出することができる。また駆動手段６３は、その駆動モータ７０にステッピングモータを使用しており、検出手段６５により検出した弾性回転帯５７の回転位置から、次の停止予定位置までの回転に必要なパルス数を計算してそのパルス数分だけ駆動モータ７０を回転させるようになっている。
【００３８】
ケース体５３は前ケース７８と後ケース７９とを備え、その前ケース７８は前壁７８ａの開口７８ｂが表示窓５１と対応するように遊技盤１２の裏側にネジ等で固定され、また後ケース７９は前ケース７８にフランジ接合等で着脱自在に接合されている。弾性回転帯５７の表示窓対応部分５７ａは、前壁７８ａの開口７８ｂから前側に突出している。ケース体５３は、前又は後が開口状のケース本体と、その開口を塞ぐ蓋とを備えたものでも良い。支持板６６はケース体５３内に着脱自在に挿入されている。なお、窓カバー５１ａには、図４に仮想線で示すように、弾性回転帯５７の幅方向の両端部分を遊技者側から隠すためのマスキング部８０を設けても良い。
【００３９】
次に上記構成のパチンコ機の作用について説明する。遊技者が発射手段１５の発射ハンドル１６を操作して遊技球を発射し、その遊技球が特別図柄始動手段２８に入賞すれば、回転表示装置５０の各回転帯ユニット４９において、その駆動モータ７０が駆動ローラ６７を回転させて、弾性回転帯５７を例えば図３のａ矢示方向に回転駆動する。そして、この弾性回転帯５７の回転によって、表示窓５１側ではその表示窓対応部分５７ａが上側から下側へと走行して、弾性回転帯５７に付された特別図柄を変動表示する。
【００４０】
弾性回転帯５７の回転に際しては、例えば遊技球の特別図柄始動手段２８への入賞に基づく乱数抽選により、各弾性回転帯５７の最終停止位置、変動パターン等を決定し、その決定に基づいて各回転帯ユニット４９の駆動手段６３が弾性回転帯５７を所定の変動パターンで所定時間だけ回転させて停止させる。この場合、駆動手段６３の制御装置側では、例えば回転前の弾性回転帯５７の回転位置、回転後の弾性回転帯５７の最終停止位置、変動パターン等に基づいて検出手段６５の検出信号から必要なパルス数を計算して、そのパルス数分だけ駆動モータ７０を駆動する。
【００４１】
なお、駆動ローラ６７に噛合歯７２があり、この駆動ローラ６７により噛合歯７２、被噛合部４８を介して弾性回転帯５７を駆動するので、駆動ローラ６７の回転を弾性回転帯５７へと確実に伝動することができる。また駆動ローラ６７と弾性回転帯５７との間に滑りが発生しないので、駆動モータ７０の回転数、回転速度を制御することにより、弾性回転帯５７の回転数、回転速度を容易に制御することができる。
【００４２】
また上・下案内手段５８，５９及び中案内手段６０で弾性回転帯５７の後部側５７ｂが前側に凹状となるように案内しているので、自由状態の略円形状で弾性回転帯５７を使用するときよりも前後方向の寸法を小さくできる。従って、回転表示装置５０としてドラム式を採用する場合に比べて、例えば回転表示装置５０の奥行が同等であっても、その表示窓対応部分５７ａを大きくできる。
【００４３】
特に弾性回転帯５７が自由状態のときに略円形となる保形性を有すると共に、弾性回転帯５７の後部側５７ｂに対応して案内手段５８〜６０を配置し、弾性回転帯５７の前部側、即ち表示窓対応部分５７ａが、その保形性により前側に突出する略円弧状となるように、表示窓５１の上下両側の上・下保持案内手段６１，６２で弾性回転帯５７を保持し案内するため、回転表示装置５０としてベルト式を採用する場合と異なり、表示窓対応部分５７ａに立体感を出すことができ、ドラム式と同様に特別図柄の変動表示を行なうことができる。また弾性回転帯５７の表示窓対応部分５７ａの前端側が遊技盤１２の厚さ内に収まるように表示窓５１内に突出させているので、表示窓対応部分５７ａが遊技者側に近くなり、特別図柄の視認を容易にすることができる。
【００４４】
本実施形態では、図６にも示すように、上・下案内手段５８，５９及び中案内手段６０で弾性回転帯５７の後部側５７ｂが前側に凹状となるように案内する一方、その上・下案内手段５８，５９の間隔を上下方向に広げることによって、弾性回転帯５７の表示窓対応部分５７ａ側の径を、仮想線で示す弾性回転帯５７の自由状態のときの円筒面Ｘよりも大きくできる。従って、表示窓対応部分５７ａの径が大きくなり、ドラム式に比較して表示窓対応部分５７ａの径に対する回転表示装置５０の奥行を格段に小さくすることができる。
【００４５】
弾性回転帯５７は、通常、後部側５７ｂが中案内手段６０の駆動ローラ６７、上・下案内手段５８，５９の外案内ローラ５８ａ，５９ａにより外側から案内されると共に、前部側が表示窓５１の上下両側の上・下保持案内手段６１，６２の保持案内ローラ６１ａ，６２ａにより外側から保持された状態で、駆動ローラ６７により回転駆動されるため、それら各案内ローラ５８ａ，５９ａ，６１ａ，６２ａの内側で円滑に回転する。
【００４６】
弾性回転帯５７がその回転開始時、回転中、回転停止時等に変形して上・下案内手段５８，５９の外案内ローラ５８ａ，５９ａから外れそうになったときには、内案内ローラ５８ｂ，５９ｂが弾性回転帯５７に内側から当接してその外れを防止する。従って、内案内ローラ５８ｂ，５９ｂは、弾性回転帯５７になるべく近接して設けておくことが望ましい。
【００４７】
また回転開始時、回転中、回転停止時等に弾性回転帯５７の前部側が内外方向に振れようとしても、補助案内手段７６が弾性回転帯５７に内側から接触してその変形を防止する。従って、弾性回転帯５７の表示窓対応部分５７ａを略自由状態で案内しているにも拘わらず、その振れを極力防止できる。
【００４８】
弾性回転帯５７の回転中、大当たり中等、所定の遊技状態中には、その遊技状態に基づいて、照明手段６４の発光体７５が所定のパターンで点滅、点灯等して、弾性回転帯５７を裏側から照明する。照明手段６４に照明ケース７４があるので、弾性回転帯５７を効率よく照明することができる。
【００４９】
なお、本実施形態では、回転帯ユニット４９を略上下対称に構成しているので、駆動手段６３の駆動モータ７０に正逆回転可能なモータを使用すれば、弾性回転帯５７を正逆回転可能に構成できる。
【００５０】
図７は本発明の第２の実施形態を例示している。この実施形態は、弾性回転帯５７の後部側５７ｂが前側に凹状となるように蛇行状に案内すべく、弾性回転帯５７の後部側５７ｂの上下及び中間に対応して上・下案内手段５８，５９及び中案内手段６０が配置されると共に、各案内手段５８〜６０の案内ローラ５８Ａ，５９Ａ，６０Ａに弾性回転帯５７が巻き掛けられている。上・下案内手段５８，５９の案内ローラ５８Ａ，５９Ａには、第１の実施形態の駆動ローラ６７と同様に、弾性回転帯５７の被噛合部４８と噛み合う噛合歯７２が設けられている。そして、上・下案内手段５８，５９の内、その一方である上案内手段５８が駆動手段６３を兼用し、その案内ローラ５８Ａの内側等に駆動モータ７０が設けられている。その他の構成は第１の実施形態と略同じである。
【００５１】
この場合には、上・下案内手段５８，５９の案内ローラ５８Ａ，５９Ａに噛合歯７２があり、上・下案内手段５８，５９の案内ローラ５８Ａ，５９Ａが同調回転するが、上案内手段５８が駆動手段６３を兼用して、この上案内手段５８により、下案内手段５９側から上案内手段５８側へと弾性回転帯５７の後部側５７ｂが回転するように弾性回転帯５７を駆動するため、弾性回転帯５７の後部側５７ｂが張り側となり、前部側の表示窓対応部分５７ａが弛み側となる。
【００５２】
従って、周方向に回転駆動中の弾性回転帯５７を見た場合、その後部側５７ｂの上・下案内手段５８，５９間が張り側となり、前部側の表示窓対応部分５７ａが弛み側となるため、弾性回転帯５７の表示窓対応部分５７ａが略自由状態で回転することになり、弾性回転帯５７の張力変化による特別図柄の表示位置のバラツキを解消できる。しかも上・下案内手段５８，５９と弾性回転帯５７との噛合部分を介して、上案内手段５８の回転を弾性回転帯５７の後部側５７ｂを経て下案内手段５９へと伝達できるため、上・下案内手段５８，５９を確実に同調させることができる。
【００５３】
図８は本発明の第３の実施形態を例示している。この実施形態は、弾性回転帯５７の前部側が自由状態のときの円筒面Ｘ上に略位置するように、弾性回転帯５７の後部側５７ｂを案内する上・下案内手段５８，５９、中案内手段６０が配置されている。このように各案内手段５８〜６０の配置によっては、弾性回転帯５７の前部側を、その弾性回転帯５７が自由状態のときの円筒面Ｘの形状に沿って回転させることも可能でる。その他の構成は第２の実施形態と略同じである。
【００５４】
図９は本発明の第４の実施形態を例示している。この実施形態は、弾性回転帯５７の後部側５７ｂの上下に対応して上・下案内手段５８，５９が配置され、その各案内ローラ５８Ａ，５９Ａに弾性回転帯５７が巻き掛けられている。そして、弾性回転帯５７の後部側５７ｂが上・下案内手段５８，５９間で略真っ直ぐとなるか、又は後方に大きく突出しないように、弾性回転帯５７の後部側５７ｂを自由状態のときの円筒内に治めるべく上・下案内手段５８，５９間で後側から押さえる中案内手段６０が設けられている。なお、中案内手段６０は案内ローラ５８Ａ，５９Ａと平行な軸心周りに回転する回転式のローラ等でも良いし、固定式のピン、突起等でもよい。
【００５５】
図１０は本発明の第５の実施形態を例示している。この実施形態は、弾性回転帯５７の後部側５７ｂを案内する上・下案内手段５８，５９の内、上手側である下案内手段５９の噛合歯７２がなく、下手側である上案内手段５８が駆動手段６３を兼用して噛合歯７２付きとなっている。そして、上・下案内手段５８，５９の案内ローラ５８Ａ，５９Ａが略同一周速で駆動方向に回転するように、その両者を連動させる駆動プーリ８１Ａ、従動プーリ８１Ｂ、ベルト８１Ｃ等の巻き掛け伝動手段８１が設けられている。この場合にも、弾性回転帯５７の前部側を略自由状態で案内でき、回転中の弾性回転帯５７の前部側の張力変化を防止できる。
【００５６】
図１１は本発明の第６の実施形態を例示している。この実施形態は、弾性回転帯５７をその後部側５７ｂで回転駆動する駆動手段６３と、この駆動手段６３に前側から巻き掛けられた弾性回転帯５７を、駆動手段６３との間で上下両側から挟む上・下案内手段５８，５９とが設けられ、これらによって、弾性回転帯５７の前部側が略自由状態で表示窓５１側に突出する円弧状となり且つ表示窓５１と反対の後部側５７ｂが自由状態のとき円筒面よりも内側となるように案内すべく構成されている。
【００５７】
駆動手段６３は噛合歯７２付きの駆動ローラ６７を備え、表示窓５１の後方で上下方向の略中央に配置されている。そして、駆動ローラ６７の上下両側に上・下案内手段５８，５９のピン、ローラ等が、駆動ローラ６７との間で弾性回転帯５７を挟むように配置されている。
【００５８】
この場合には、弾性回転帯５７を駆動ローラ６７に対して前側から巻き付けて、駆動ローラ６７の上下両側の上・下案内手段５８，５９で挟むと、弾性回転帯５７はそれ自体が保形性を有する弾性材であるため、その後部側５７ｂの上下両側に、後側を経て前側に湾曲する小半径の湾曲部５７ｃができ、この湾曲部５７ｃ間に円弧状の前部側の表示窓対応部分５７ａが接続する状態となる。そして、駆動手段６３の駆動ローラ６７の回転により、弾性回転帯５７をその形状を保ちながら周方向に回転させることができる。
【００５９】
従って、例えば表示窓５１の上下両側の上・下保持案内手段６１，６２と上・下案内手段５８，５９との間に必要に応じて案内部材８２，８３を設けるとしても、弾性回転帯５７の外側及び／又は内側に近接又は接触して案内ピン、その他の案内部材８２，８３を配置する等、弾性回転帯５７の振れ止めをする程度の簡単な案内部材を弾性回転帯５７の形状に沿って設ける程度でよい。
【００６０】
図１２〜図１４は本発明の第７の実施形態を例示している。この実施形態は、回転表示装置５０を演出表示手段として利用したものであって、この回転表示装置５０の弾性回転帯５７の内側に、例えば他の表示手段である液晶表示装置８９が設けられている。液晶表示装置８９により特別図柄表示手段２６が構成されている。そして、回転表示装置５０は、液晶表示装置８９での特別図柄の変動に関連して、弾性回転帯５７を適宜回転駆動するようになっている。
【００６１】
回転表示装置５０は、表示窓５１、窓カバー５１ａを有するセンターケース５２等の他に、周方向に１又は複数の演出図柄（識別情報）が付された弾性回転帯５７と、この弾性回転帯５７を周方向に案内する左右案内手段８５，８６と、弾性回転帯５７を周方向に回転駆動する駆動手段６３と、弾性回転帯５７の前部側を表示窓５１の左右両側で保持して円弧状に案内する左・右保持案内手段８７，８８と、弾性回転帯５７の回転位置を検出する検出手段６５と、それら各手段６３，６５，８５〜８８を支持するケース体５３とを備えている。
【００６２】
ケース体５３は、センターケース５２の表示窓５１の上下両側に対応して遊技盤１２に裏側からねじ等により着脱自在に取り付けられた上下に相対向する一対の支持板６６と、この支持板６６を後端部で上下に連結する連結板６６ａとを備えている。
【００６３】
液晶表示装置８９は、上下の支持板６６間に設けられた前後方向と略直交する取り付け板９０に裏側から装着されている。なお、取り付け板９０には、表示窓５１に対応して開口９１が形成され、その開口９１を介して液晶表示装置８９の表示画面８９ａを視認できるようになっている。
【００６４】
弾性回転帯５７は、表示窓５１及び液晶表示装置８９の表示画面８９ａの上下幅よりも大きな上下幅を有し、左・右案内手段８５，８６、左・右保持案内手段８７，８８に跨がって左右方向に回転可能に巻き掛けられている。そして、弾性回転帯５７には、図１４に示すように「大当たり」「はずれ」「リーチ」等の識別情報９２の他に、その識別情報９２の１コマ又は複数コマ分の間隔をおいて、液晶表示装置８９の表示画面８９ａの特別図柄を透視可能な透視領域９３が１又は複数設けられている。
【００６５】
透視領域９３は透明又は半透明で、表示窓５１の略全体に対応する大きさ、換言すれば、液晶表示装置８９の表示画面８９ａの全体を透視できる大きさになっている。そして、弾性回転帯５７は、通常時には透視領域９３が表示窓５１に対応するように停止しており、所定の演出を行なう際に、所定の変動パターンで回転して、所定の識別情報９２を演出表示するようになっている。
【００６６】
なお、弾性回転帯５７の略全体を透視領域９３として、その透視領域９３に演出用の識別情報９２を表示しても良い。また弾性回転帯５７の大部分を透視領域９３にすると共に、一部を液晶表示装置８９を透視することのできない非透視領域としてもよい。
【００６７】
左・右案内手段８５，８６は弾性回転帯５７の後部側５７ｂの左右両側に、駆動手段６３はその中間に夫々配置されており、その案内ローラ８５Ａ，８６Ａ、駆動ローラ６３Ａはケース体５３に回転自在に支持された縦軸６３Ｂ，８５Ｂ，８６Ｂに固定されている。そして、弾性回転帯５７は、前部側の表示窓対応部分５７ａが略自由状態の円弧状となり、後部側５７ｂの中央が前側に凹むように各案内ローラ８５Ａ，８６Ａ、駆動ローラ６３Ａ等に巻き掛けられている。各案内ローラ８５Ａ，８６Ａ、駆動ローラ６３Ａには、その上下両側に、弾性回転帯５７の被噛合部４８と噛み合う噛合歯７２が設けられている。
【００６８】
駆動ローラ６３Ａを支持する縦軸６３Ｂは、ケース体５３の支持板６６等に固定された駆動モータ７０に連動連結されている。各縦軸６３Ｂ，８５Ｂ，８６Ｂの上端側等の適当箇所には駆動プーリ９４Ａ、従動プーリ９４Ｂ、ベルト９４Ｃ等の伝動手段９４が設けられ、この伝動手段９４を介して駆動ローラ６３Ａと各案内ローラ８５Ａ，８６Ａを回転方向に同一周速で回転させるようになっている。伝動手段９４はカバー９５で覆われている。なお、伝動手段９４は、歯車等で構成してもよい。
【００６９】
左・右保持案内手段８７，８８は、弾性回転帯５７の表示窓対応部分５７ａの両側を保持して、表示窓対応部分５７ａが弾性回転帯５７の保形性により前側へと突出する略円弧状となるように案内するためのもので、表示窓５１の左右両側に配置されている。この保持案内手段８７，８８は、弾性回転帯５７に外前側から接触する保持案内ローラ８７Ａ，８８Ａと、この保持案内ローラ８７Ａ，８８Ａに対応して弾性回転帯５７の内側に配置された内案内部材８７Ｂ，８８Ｂとを有する。内案内部材８７Ｂ，８８Ｂは、取り付け板９０の両端部を後側に湾曲させて構成された固定式であり、弾性回転帯５７との間に所定の間隔を置いて配置されている。なお、この内案内部材８７Ｂ，８８Ｂもローラ等による回転式にしてもよい。検出手段６５は、第１の実施形態と同様である。
【００７０】
この実施形態では、弾性回転帯５７は通常、透視領域９３が特別図柄表示手段２６の表示画面８９ａに対応しており、遊技者は弾性回転帯５７の透視領域９３を介して特別図柄の変動、停止を視認できる。回転表示装置５０は、特別図柄が特定の変動パターンで変動する場合に回転動作を行い、特別図柄の図柄変動を演出する。
【００７１】
例えば変動後の特別図柄が特定のリーチになるときには、特別図柄の高速変動中、又は特別図柄がリーチとなる直前等の適時に、特別図柄の変動表示の制御に連動して弾性回転帯５７が回転して、「リーチ」の識別情報９２が表示窓５１に対応するように一時的に停止し、その識別情報９２を表示窓５１側に表示する。そして、その後に弾性回転帯５７が再度回転して、透視領域９３が表示窓５１に対応するように停止し、特別図柄表示手段２６の表示画面８９ａに変動表示されている特別図柄を透視可能にする。
【００７２】
従って、このようにすれば、特別図柄表示手段２６の特別図柄の変動に連動して回転表示装置５０の弾性回転帯５７を回転させることにより、各実施形態での効果の他に、この回転表示装置５０によって特別図柄の変動を演出することができる。
【００７３】
弾性回転帯５７の識別情報９２の表示部分は、特別図柄表示手段２６の表示画面８９ａを透視できないようにしてもよいし、透視できるようにしてもよい。そして、演出用の識別情報９２を透視できる領域に表示しておけば、その透視領域９３の識別情報９２と表示画面８９ａの特別図柄とを重ね合わせて表示することができ、従来にない演出を行うことができる。
【００７４】
以上、本発明の各実施形態を詳述したが、本発明は各実施形態に限定されるものではなく、本発明の趣旨を逸脱しない範囲で種々の変更が可能である。例えば案内手段は、弾性回転帯５７の後部側５７ｂが自由状態のときよりも前後方向の前側に扁平な状態となり、弾性回転帯５７の前部側がその保形性により前側へと突出する略円弧状となるように弾性回転帯５７を周方向に案内できれば十分であり、その配置、構成等は適宜変更可能である。
【００７５】
実施形態では、弾性回転帯５７が上下方向に回転する場合と、左右方向に回転する場合とを例示しているが、斜め方向に回転するように設けてもよい。第１の実施形態のように弾性回転帯５７を複数設ける場合には、その案内手段を構成する案内ローラ等を複数の弾性回転帯５７に跨がって設け、各弾性回転帯５７を各駆動手段６３で個別にできるように構成してもよい。
【００７６】
保持案内手段６１，６２、８７，８８は、表示窓５１に対して弾性回転帯５７の周方向の両側で、その表示窓対応部分５７ａ側を略自由状態に保持し案内するものであればよい。回転式の案内手段を複数受ける場合に、その案内手段の少なくとも１つに駆動手段を設ければよい。
【００７７】
弾性回転帯５７の後部側５７ｂを案内する複数の案内手段の内、その一部の案内手段に駆動手段を設ける場合には、下手の案内手段に駆動手段を設けることが望ましい。弾性回転帯５７の幅方向の両側に、幅の狭い歯付きベルトを設けて被噛合部４８を構成してもよい。また弾性回転帯５７の被噛合部４８を省略してもよい。
【００７８】
なお、実施形態ではパチンコ機を例に挙げて説明したが、アレンジボール機、雀球遊技機等のその他の弾球遊技機、更には、回胴式遊技機でも同様に実施可能であることは言うまでもない。
【００７９】
【発明の効果】
本発明によれば、表示窓に識別情報を変動表示する回転表示装置を備えた遊技機において、回転表示装置は、識別情報が付され且つ自由状態のときに略円形となる保形性を有する無端状の弾性回転帯と、該弾性回転帯の表示窓に対応する表示窓対応部分が略自由状態で表示窓側に突出する円弧状となり且つ表示窓と反対側が自由状態のときよりも内側となるように弾性回転帯を周方向に案内する案内手段と、該案内手段に沿って弾性回転帯を周方向に回転駆動する駆動手段とを備えているので、前後方向の寸法を小さくできるにも拘わらず、ドラム式と同じよう識別情報を変動表示できる利点がある。
【図面の簡単な説明】
【図１】本発明の第１の実施形態を示すパチンコ機の正面図である。
【図２】本発明の第１の実施形態を示すパチンコ機の背面図である。
【図３】本発明の第１の実施形態を示す回転表示装置の縦断面図である。
【図４】本発明の第１の実施形態を示す回転表示装置の横断面図である。
【図５】本発明の第１の実施形態を示す弾性回転帯の斜視図である。
【図６】本発明の第１の実施形態を示す回転表示装置の概略説明図である。
【図７】本発明の第２の実施形態を示す回転表示装置の概略説明図である。
【図８】本発明の第３の実施形態を示す回転表示装置の概略説明図である。
【図９】本発明の第４の実施形態を示す回転表示装置の概略説明図である。
【図１０】本発明の第５の実施形態を示す回転表示装置の概略説明図である。
【図１１】本発明の第６の実施形態を示す弾性回転帯の概略説明図である。
【図１２】本発明の第７の実施形態を示す回転表示装置の横断面図である。
【図１３】本発明の第７の実施形態を示す回転表示装置の縦断面図である。
【図１４】本発明の第７の実施形態を示す弾性回転帯の展開正面図である。
【符号の説明】
４８  被噛合部
５０  回転表示装置
５１  表示窓
５７  弾性回転帯
５７ａ  表示窓対応部分
５８  上案内手段
５９  下案内手段
５８  中案内手段
６１  上保持案内手段
６２  下保持案内手段
６３  駆動手段
６７  駆動ローラ
７２  噛合歯
７６  補助案内手段
９３  透視領域
【図１】
2005065712.tif 000003
【図２】
2005065712.tif 000004
【図３】
2005065712.tif 000005
【図４】
2005065712.tif 000006
【図５】
2005065712.tif 000007
【図６】
2005065712.tif 000008
【図７】
2005065712.tif 000009
【図８】
2005065712.tif 000010
【図９】
2005065712.tif 000011
【図１０】
2005065712.tif 000012
【図１１】
2005065712.tif 000013
【図１２】
2005065712.tif 000014
【図１３】
2005065712.tif 000015
【図１４】
2005065712.tif 000016